(57)【要約】      （修正有）【課題】焚き口、及び燃焼部への空気の取入れを図りつつ、効率的な燃焼と、十分な火力を実現する燃焼器具を提供する。【解決手段】外筒２と、外筒内部に支持された切欠き部付き中板３と、中板に挿設される中筒６と、中筒に開設した複数の細孔６０１と、中筒・外筒に載架される五徳８、網体でなる燃焼器具で、中筒を外筒に挿設し、中筒外周面と、外筒内周面との間に、空気通路の往路を形成し、往路を中筒、又は外筒の底部に開口し、中筒の内部に空気通路の復路を形成し、復路を中筒の投入部に開口する。往路の吸込空気と、復路の燃焼空気の流れを形成し、焚き口、及び燃焼部に、空気を十分に取込み、効率的な燃焼と、十分な火力を実現する。【選択図】図１−１
2018025361.tif 000002
【特許請求の範囲】
【請求項１】
燃焼器となる外筒と、この外筒内部に支持され、かつ当該外筒内周面との間に隙間を形成できる切欠き部を備えた中板と、この中板の孔に挿設される中筒と、この中筒に開設した複数の細孔と、前記中筒、及び／又は、前記外筒の何れかに載架される五徳、又は網体とでなる燃焼器具。
【請求項２】
燃焼器となる外筒と、この外筒内部に支持された孔、スリット、又は網体の何れかでなる開口を備えた中板と、この中板の孔に挿設される中筒と、この中筒に開設した複数の細孔と、前記中筒、及び／又は、前記外筒の何れかに載架される五徳、又は網体とでなる燃焼器具。
【請求項３】
前記外筒は、植木鉢、又は金属筒、或いは焼成筒の何れかでなる請求項１、又は請求項２に記載の燃焼器具。
【請求項４】
前記外筒は、筒体、桶形、又は角形、或いは逆錐台形の何れかでなる請求項１、又は請求項２に記載の燃焼器具。
【請求項５】
前記中筒は、筒体、桶形、又は角形、或いは逆錐台形の何れかでなる請求項１、又は請求項２に記載の燃焼器具。
【請求項６】
前記中筒は、前記中板を利用して、前記外筒内部に立設される構成とした請求項１、又は請求項２に記載の燃焼器具。
【発明の詳細な説明】
【技術分野】
【０００１】
本発明は、暖房器具、加熱調理器具、又は防災用品として活用できる燃焼器具に関する。
【背景技術】
【０００２】
従来の燃焼器具は、燃焼筒と、この燃焼筒の下側（底部近傍）に設けた焚き口と、焚き口に設けたロストルと、燃焼筒に設けた五徳とで構成されている。この焚き口に、木材、間伐材等の木質廃材等の燃料を投入する。燃焼用空気を、燃焼筒の周辺部下側より導入する構造である。従って、空気を、焚き口の隙間から、燃焼筒の全体に導入することが、困難視されることと、燃焼効率が良くないこと等の課題を抱えている。
【０００３】
この種の燃焼器具に関する公開公報において、例えば、特開平８−１７３３２８号公報に記載の「携帯用レンジ」である（文献（１）とする）。この発明は、周辺部下側に空気取入れ口を有する円筒状の缶体に、スタンドと、火器と中蓋と調理容器と、上蓋とを備える構造であり、火器に燃料をくべる構造である。この発明は簡便であるが、従来の構造を小型化したものであり、従来と同様に、焚き口、及び燃焼部への空気の取入れが十分でなく、効率的な燃焼と、火力不足とかが考えられる。また、文献（１）と同様な構成として、特開２０１５−８７０８３号公報に記載の「燃焼器具」がある（文献（２）とする）。この発明は、空気取入れ開口を備えた環状外筒と、この外筒に周辺部下側から、外筒の内部開口側に向かって設けた曲げ管と、この曲げ管の下側に設けたロストルと、このロストルを備えた曲げ管の下側を焚き口とする構造である。従って、文献（１）と同じ構造と考えられる。すなわち、従来と同様に、焚き口、及び燃焼部への空気の取入れが十分でなく、効率的な燃焼と、火力不足とかが考えられる。
【０００４】
また、他の燃焼器具として、内部燃焼の燻炭器が開示されている。例えば、特開２０１３−１８５０１９号公報に記載の「もみがらくん炭器」である（文献（３）とする）。この発明は、下部（足元）に切欠きと細孔でなる空気吸込み部を備えた煙突兼と焚き口用の筒体（もみがらくん炭器）と、もみ殻（もみがらくん炭器）用の外筒（湯船）、又は筒体を埋設するもみ殻堆積山部とでなる構造であって、筒体に燃焼用の木材、又は炭等の燃焼補助材を投入する。筒体からの放射熱で、もみ殻を下部から燻炭することを特徴とする。図４と図５の図示の例では、湯船（外筒）と筒体（内筒）とによる燃焼機器の構造と考えられるが、文献（１）等と同様に、筒体の焚き口、及び燃焼部への空気の取入れが十分でなく、効率的な燃焼と、火力不足とかが考えられる。また、この構造は、暖房・加熱調理の用途には使えない。
【０００５】
【特許文献１】特開平８−１７３３２８号公報
【特許文献２】特開２０１５−８７０８３号公報
【特許文献３】特開２０１３−１８５０１９号公報
【発明の概要】
【発明が解決しようとする課題】
【０００６】
前記文献（１）〜文献（３）においては、焚き口、及び燃焼部への空気の取入れが十分でないことと、効率的な燃焼と、火力不足とかが考えられる。
【０００７】
この課題解決を意図する本発明の要旨は、中筒を、焚き口の投入部、及び／又は、燃焼部とし、この中筒を、外筒の上面開口部に形成した、望ましくは、開口部の中心輪郭内に挿設し、この中筒の外側（外面）と、外筒の内側（内面）との間に空気通路（通風経路）を形成した構造であって、空気通路の吸込口上端より下の位置（下方）に、投入部の開口上端を設けるとともに、外筒の下側（内底）に吸込んだ空気を、投入部の開口上端に向かう上昇気流となる燃焼用空気の流れを形成し、焚き口、及び燃焼部に、空気を十分に取込む（吸込む）構造とする。
【課題を解決するための手段】
【０００８】
本発明は、請求項１〜５を提供することで、焚き口、及び燃焼部への空気の取入れを図りつつ、効率的な燃焼と、十分な火力を実現する燃焼器具を提供する。
【発明の効果】
【０００９】
請求項１の発明は、燃焼器となる外筒と、外筒内部に支持され、かつ外筒内周面との間に隙間を形成できる切欠き部を備えた中板と、中板の孔に挿設される中筒と、中筒に開設した複数の細孔と、中筒、及び／又は、外筒の何れかに載架される五徳、又は網体とでなる燃焼器具であり、中筒を外筒の内部（中心部）に挿設し、中筒外周面と、外筒内周面との間に、空気通路の往路を形成し、往路を中筒、又は外筒の底部に開口し、また、中筒の内部に空気通路の復路を形成し、復路を中筒の投入部に開口する構造であって、内筒の外周面、又は外筒の底部（内底）に到る吸込み空気を、投入部の開口に向かう上昇気流に変換するとともに、燃焼用空気の流れを形成し、焚き口、及び燃焼部に、空気を十分に取込み、効率的な燃焼と、火力不足がない燃焼器具を提供する。
【００１０】
請求項２の発明は、燃焼器となる外筒と、外筒内に支持された孔、スリット、又は網体の何れかでなる開口を備えた中板と、中板の孔にセットされる中筒と、中筒に開設した複数の細孔と、中筒、及び／又は、外筒の何れかに載架される五徳、又は網体とでなる燃焼器具であり、請求項１と同じ効果が期待できることと、煙突効果を最も発揮できる中板構造を提案する。
【００１１】
請求項３の発明は、外筒は、植木鉢、又は金属筒、或いは焼成筒の何れかでなる燃焼器具であり、請求項１の効果が期待でき、かつ外筒の手当ての容易性と、コスト低廉化、互換性の活用等を図る。
【００１２】
請求項４の発明は、外筒は、筒体、桶形、又は角形、或いは逆錐台形の何れかでなる燃焼器具であり、請求項１の効果が期待でき、かつ外筒の形態は、需要者の要望に十分に応え得る実益が有る。
【００１３】
請求項５の発明は、中筒は、筒体、桶形、又は角形、或いは逆錐台形の何れかでなる燃焼器具であり、請求項１の効果が期待でき、かつ中筒の形態は、需要者の要望に十分に応え得る実益が有る。
【００１４】
請求項６の発明は、中筒は、中板を利用して、前記外筒内部に立設される燃焼器具であり、請求項１の効果が期待でき、かつ空気通路の吸込口より吸込んだ空気を、投入部の開口上端に向かう上昇気流となる燃焼用空気の流れを形成し、焚き口、及び燃焼部に、空気を十分に取込むことができる利点がある。
【図面の簡単な説明】
【００１５】
【図１−１】第１実施例を示した一部欠截の分解斜視図
【図１−２】第１実施例を示した平面図
【図２−１】第１実施例の組立状態（使用可能な状態）を示した俯瞰図
【図２−２】第１実施例の使用状態を示した俯瞰図
【図３】第２実施例を示した一部欠截の分解斜視図
【図４】第２実施例の組立状態（使用可能な状態）を示した一部欠截の俯瞰図
【図５】第３・４実施例を示した一部欠截の分解斜視図
【図６−１】第３実施例の組立状態（使用可能な状態）を示した俯瞰図
【図６−２】第３実施例の使用状態の一例を示した俯瞰図
【図６−３】第３実施例の使用状態で、網体を半割りで使用する一例を示した俯瞰図
【図７−１】第１〜３実施例の燃焼状態の一例を示した俯瞰図
【図７−２】第１〜３実施例の他の燃焼状態の一例を示した俯瞰図
【図８−１】第５実施例であって、燃焼状態の一例を示した俯瞰図
【図８−２】第６実施例であって、もみ殻の燃焼状態の一例を示した俯瞰図
【図９】第７実施例の別の使用状態の一例を示した俯瞰図
【図１０】第１〜３実施例を植木鉢として利用する一例を示した俯瞰図
【発明を実施するための形態】
【００１６】
本発明の共通する構成を、最初に説明する。
【００１７】
１は載台で、載台１の上には、植木鉢、又は金属筒、或いは焼成筒等の形態であって、筒体、桶形、又は角形、或いは逆錐台形の形状の外筒２を載架する。外筒２は底部２ａに孔２００を設けるが限定されない。また、開口側２ｂの外周面２ｂ１には帯片２０１を備える。尚、本体部２ｃは、傾斜、又は筒形の壁体２０２を備える。図中２０３は外筒２の内部を示す。３は中板で、この中板３は、外筒２の内周面２ｄ（内部か、又は内壁）の横端面の中央部２ｄ１に支持される外周面（外形部）３００を有するとともに、この外周面３００と内周面２ｄとの間に流通用の隙間２０５（切欠き３ａとか、図示しないが、孔、スリット、又は網体でも可能である）が形成される。また、中板３の中央部には孔３０１が開口されている。
【００１８】
６は中筒で、この中筒６は筒体、桶形、又は角形、或いは逆錐台形の形状であり、中板３の孔３０１に挿設されるとともに、外筒２の底部２ａに当接、又は間隔等を有して支持されている。この中筒６を、中板３の孔３０１に挿設し、かつ外筒２内（内周面２ｄ）に支持した際に、中筒６の外周面６００と外筒２（本体部２ｄ）の内周面２ｄとの間に空気通路７が形成されるとともに、この空気通路７は、中板３の切欠き３ａ（隙間２０５）を介在し、外筒２の底部２ａ、及び／又は、中筒６の空気孔６０１、及び／又は、底部６ｃの入口に到る往路通路７ａとなる。また、この空気通路７は、外筒２の底部２ａ、及び／又は、中筒６の空気孔６０１、及び中筒６の内部６０２を経由し、中筒６の開口６０３（投入口）に到る復路通路７ｂとなる。この空気通路７の入り口は、中板３の切欠き３ａに代替して、中板３の望ましくは、周辺の内側に開設した孔、スリット、又は網体の何れかでなる開口３ｂで形成することも可能である。また、中筒６は、外筒２に対して短尺寸法Ｈにすることが望ましい。理由は後述する。さらに、中筒６は、原則として、外筒２に宙吊りされて、外筒２の底部２ａに空気通路７を形成する。
【００１９】
８は五徳で、この五徳８は短尺寸法Ｈとなった内筒６に載架し、五徳８の端部８００（立上り部材の端部）が、外筒２の内周面２ｄに当り、この五徳８の安定した載架状態を確保できる。
【００２０】
１０は網体で、この網体１０は外筒２の開口２０４に載架される。１１は外筒２の孔２００を塞ぐ板である。
【００２１】
図７−１と７−２、及び図８−１と８−２に図示した、空気と燃焼ガスの流れ、燃焼状態を説明する。外気（空気）は、外筒２の開口２０４→隙間２０５（切欠き３a、空気通路７の入口）又は中板３に開設した孔、スリット、又は網体の何れかでなる開口３ｂ（空気通路７の入口）→中筒６の外周面６００の空気孔６０１に至り、中筒６の下部６ａ、及び／又は、中部６ｂ等で燃焼し、燃焼ガスが発生する（一次燃焼）とともに、空気孔６０１から吸引された外気とさらに混合する。この混合気は、中筒６の下部６ａ付近から、煙突効果によって上昇し、高温状態の中筒６の中部６ｂ付近で燃焼し、炎、及び燃焼ガスが発生する（二次燃焼）。この炎と燃焼ガスはさらに上昇し、中筒６の内部６０２（薪との隙間）→中筒６の開口６０３→五徳８、又は網体１０に、炎が到達する。尚、図８−１及び図８−２では、もみ殻２３が炭化することによって発生した燃焼ガス（一次燃焼）が、空気孔６０１より中筒６の内部へ吸引され、中筒６の下部６ａ付近から、煙突効果によって上昇し、高温状態の中筒６の中部６ｂ付近で燃焼し、炎、及び燃焼ガスが発生する（二次燃焼）。以降の過程は、図７−１及び図７−２の例に準ずる。
【００２２】
続いて、図１〜図２−２に示した第１実施例に備えた特徴を説明すると、基本的な構造であり、中板３は切欠き３ａを有し、切欠き３ａは空気通路７を形成する。中筒６がティパー形状である。図２−１は、五徳８を、内筒６に載架し、五徳８の端部８００を、外筒２の内周面２ｄに当て、五徳８を載架し、この五徳８に、やかん２０を載せる。
【００２３】
図３と図４に示した第２実施例に備えた特徴を説明すると、基本的な構造であり、中筒６は筒状の網体で、網目を空気孔６０１とする。空気孔６０１は空気通路７を形成する。その他は、第１実施例に準ずる。
【００２４】
図５〜図６−３に示した第３・４実施例に備えた特徴を説明する。第３実施例では、基本的な構造であり、五徳８に代替して網体１０とする構造であり、半割れ形状（半円形など）とする。その他は、第１実施例に準ずる。また、第４実施例では、中板３に開口３ｂを複数個開設する。開口３ｂは空気通路７を形成する。また、開口３ｂは中板３の周辺部に設けることが、空気通路７としての役割が大きい。その他は、第１・２実施例に準ずる。
【００２５】
図７−１〜８−２は、中筒６を基に各実施例を区分して示す。図７−１と７−２は、第５実施例であり、第１・第３実施例の使用で、空気と燃焼ガスの流れ、燃焼状態を説明する。尚、図７−１の例では、中筒６の底部６ｃに開口６０４を形成して、空気通路７の一部とする。
【００２６】
図８−１と８−２は、第６実施例であり、第２・第３実施例の中筒３を採用した、空気と燃焼ガスの流れ、燃焼状態を説明する。図８−１と図８−２の第６実施例では、外筒２と中筒６との空気通路７の往路通路７ａの部分にもみ殻２３を装填し、中筒６内の燃焼を利用して、燻し焼き態様で燃焼させる。空気孔６０１から空気を供給するとともに、開口６０３から排気しつつ、もみ殻２３等の粉体バイオマス燃料の内側の層（内筒６と接する層）から外側の層（外筒２の内周面２ｄと接する層）に向けて燻し焼きにして順次炭化させ、この燻し焼き炭化がもみ殻２３等の粉体バイオマス燃料の外側の層（外筒２の内周面２ｄ）まで達したら、自然に消火することによって、弱酸性〜略中性の燻炭を製造できる。この炭化現象により発生した燃焼ガスを、空気孔６０１から内筒６内に吸引することで、効率のよい燃焼を促進させることから、もみ殻２３等の粉体バイオマス燃料と固形燃料を併用することで固形燃料の使用量を少なくすることができるだけでなく、開口６０３近傍に設けた五徳８や網体１０を用いて加熱調理が可能になる。図７−２及び図８−２の例では、板１１を使用しないことで、外筒２の孔２００からの吸込空気がある。
【００２７】
図９は、第７実施例であり、外筒２の開口２０４に保護カバー２２を差入れた状を示しており、安全性を図る。
【００２８】
また、図１０は、中筒６を植木鉢として利用する一例を示している。
【００２９】
前述した各実施例等は、本発明の好ましい一例の説明である。各実施例とか図面に限定されない。従って、発明の趣旨の範囲において構成の一部を変更する構造とか、同じ特徴と効果を達成できる構造、等は、本発明の範疇である。
【符号の説明】
【００３０】
１  載台
２  外筒
２ａ  底部
２ｂ  開口側
２ｂ１  外周面
２ｃ  本体部
２ｄ  内周面
２ｄ１  中央部
２００  孔
２０１  帯片
２０２  壁体
２０３  内部
２０４  開口
２０５  隙間
３  中板
３ａ  切欠き
３００  外周面
３０１  孔
６  中筒
６ａ  下部
６ｂ  中部
６ｃ  底部
６００  外周面
６０１  空気孔
６０２  内部
６０３  開口
７  空気通路
７ａ  往路通路
７ｂ  復路通路
８  五徳
８００  端部
１０  網体
１１  板
２０  やかん
２１  鍋
２２  保護カバー
２３  もみ殻
Ｈ  短尺寸法
【図１−１】
2018025361.tif 000003
【図１−２】
2018025361.tif 000004
【図２−１】
2018025361.tif 000005
【図２−２】
2018025361.tif 000006
【図３】
2018025361.tif 000007
【図４】
2018025361.tif 000008
【図５】
2018025361.tif 000009
【図６−１】
2018025361.tif 000010
【図６−２】
2018025361.tif 000011
【図６−３】
2018025361.tif 000012
【図７−１】
2018025361.tif 000013
【図７−２】
2018025361.tif 000014
【図８−１】
2018025361.tif 000015
【図８−２】
2018025361.tif 000016
【図９】
2018025361.tif 000017
【図１０】
2018025361.tif 000018